(57)【要約】【課題】発光素子および検出素子を有する光電変換装置と容易に位置合わせ可能な光レセプタクル、およびこれを用いた光モジュールを提供する。また、光電変換装置と光レセプタクルとを適切に位置合わせ可能な光モジュールの製造方法も提供する。【解決手段】基板と、光電変換素子と、検出素子と、を有する光電変換装置、および光伝送体の間に配置され、光電変換素子および光伝送体の端面を光学的に結合するための光レセプタクルであって、当該光レセプタクルは、フィルターと、フィルターを保持する保持部材と、レセプタクル本体と、を有する。当該光レセプタクルにおいて、保持部材およびレセプタクル本体は別体であり、フィルターは、光電変換素子から出射された光の一部をモニター光として、検出素子側に向けて反射させ、残部を信号光として透過させる。【選択図】図２
2017181562.tif 000002
【特許請求の範囲】
【請求項１】
基板と、前記基板上に配置された光電変換素子と、前記基板上に配置され、前記光電変換素子から出射される光を監視するための検出素子と、を有する光電変換装置、および光伝送体の間に配置され、前記光電変換素子および前記光伝送体の端面を光学的に結合するための光レセプタクルであって、
前記光電変換素子と前記光伝送体との間の光路上に配置されるフィルターと、
前記フィルターを保持する保持部材と、
前記光路上の前記フィルターより前記光伝送体側に配置され、前記フィルターを透過した光を入射させる第１光学面、および前記第１光学面から入射し、レセプタクル本体の内部を通る光を前記光伝送体の端面に向けて出射させる第２光学面、を有するレセプタクル本体と、
を有し、
前記保持部材および前記レセプタクル本体は別体であり、
前記フィルターは、前記光電変換素子から出射された光の一部をモニター光として、前記検出素子側に向けて反射させ、残部を信号光として、前記レセプタクル本体の前記第１光学面側に透過させる、
光レセプタクル。
【請求項２】
前記フィルターと、前記保持部材とが一体に形成されている、
請求項１に記載の光レセプタクル。
【請求項３】
前記レセプタクル本体は、
前記第１光学面から入射した前記信号光を前記光電変換装置の基板に沿った方向に反射させる反射面をさらに有する、
請求項１または２に記載の光レセプタクル。
【請求項４】
基板と、前記基板上に配置された１または２以上の光電変換素子と、前記基板上に配置され、前記光電変換素子から出射される光を監視するための検出素子と、を有する光電変換装置、
および請求項１〜３のいずれか一項に記載の光レセプタクル、
を有し、
前記保持部材は、前記フィルターが前記光電変換素子に対向するように前記基板上に配置されており、
前記レセプタクル本体は、前記保持部材の上に配置されている、
光モジュール。
【請求項５】
請求項４に記載の光モジュールの製造方法であって、
基板と、前記基板上に配置された光電変換素子と、前記基板上に配置され、前記光電変換素子から出射される光を監視するための検出素子と、を有する光電変換装置の前記基板上に、前記フィルターを保持する前記保持部材を載置する工程と、
前記光電変換素子を発光させ、前記フィルターで反射された光が、前記検出素子に到達するように、前記保持部材を位置決めする工程と、
前記保持部材上に前記レセプタクル本体を配置する工程と、
前記光電変換素子から出射され、前記フィルターを透過し、前記第１光学面から前記レセプタクル本体に入射した光が、前記第２光学面に到達するように、前記レセプタクル本体を位置決めする工程と、
を有する、光モジュールの製造方法。
【発明の詳細な説明】
【技術分野】
【０００１】
従来、光ファイバーや光導波路などの光伝送体を用いた光通信には、面発光レーザー（例えば、ＶＣＳＥＬ：Vertical Cavity Surface Emitting Laser）などの発光素子を備えた光モジュールが使用されている。光モジュールは、発光素子から出射された通信情報を含む光を、光伝送体の端面に入射させる光レセプタクルを有する。
【０００２】
また、光モジュールには、温度変化に対する発光素子の出力特性の安定化や光出力の調整を目的として、発光素子から出射された出射光の強度や光量を監視（モニター）するための検出素子を有するものがある（例えば、特許文献１参照）。
【０００３】
特許文献１には、発光素子および検出素子が基板上に配置されている光電変換装置と、光電変換装置の基板上に配置され、発光素子と光伝送体の端面とを光学的に接続させる光レセプタクルとを有する光モジュールが記載されている。
【０００４】
図１は、特許文献１に記載の光モジュール１０の構成を模式的に示す断面図である。図１に示されるように、特許文献１に記載の光モジュール１０は、光電変換装置２０と、樹脂製の光レセプタクル３０とを有する。光レセプタクル３０は、発光素子２１から出射された出射光Ｌを入射させる第１光学面３１と、第１光学面３１で光レセプタクル３０内に入射した光Ｌを光伝送体２２側に反射する反射面３２と、反射面３２で反射した光Ｌを検出素子２４側に向かうモニター光Ｌｍおよび光伝送体２２側に向かう信号光Ｌｓに分離する光分離部３３と、光分離部３３で光レセプタクル３０外に出射された信号光Ｌｓを再度光レセプタクル３０内に入射させる透過面３４と、透過面３４で光レセプタクル３０内に入射した信号光Ｌｓを光伝送体２２の端面２３に集光するように出射する第２光学面３５と、モニター光Ｌｍを検出素子２４に向けて出射させる第３光学面３６とを有する。また、光分離部３３は、光レセプタクル３０に形成された凹部３７の内面の一部として形成されている。
【０００５】
特許文献１に記載の光モジュール１０では、発光素子２１から出射され、第１光学面３１で光レセプタクル３０内に入射した光Ｌは、反射面３２で光分離部３３に向かって反射する。反射面３２で反射した光Ｌは、光分離部３３によって信号光Ｌｓおよびモニター光Ｌｍに分離される。光分離部３３で分離されたモニター光Ｌｍは、検出素子２４の受光面に向けて第３光学面３６から出射される。一方、光分離部３３で分離された信号光Ｌｓは、光分離部３３を透過して光レセプタクル３０外に出射される。そして、透過面３４から再び光レセプタクル３０内に入射する。透過面３４で入射した信号光Ｌｓは、第２光学面３５で光伝送体２２の端面２３に向けて出射される。
【先行技術文献】
【特許文献】
【０００６】
【特許文献１】特開２０１５−０２２２６７号公報
【発明の概要】
【発明が解決しようとする課題】
【０００７】
前述のとおり、特許文献１に記載の光モジュール１０では、光レセプタクル３０が光電変換装置２０の上に配置されている。そして、このような光モジュール１０では、発光素子２１と光伝送体２２の端面とを光学的に高効率で接続する観点から、発光素子２１に対して光レセプタクル３０を適切に配置することが重要となる。光レセプタクル３０の位置を合わせる方法の一例として、光レセプタクル３０の第２光学面３５側から、反射面３２および第１光学面３１を介して発光素子２１の発光面を観察する方法が挙げられる。当該方法では、第２光学面３５内に見える発光素子２１の発光面の中心位置に基づいて、光レセプタクル３０の位置を調整する。
【０００８】
しかしながら、特許文献１に記載の光モジュール１０のように、光電変換装置２０が検出素子２４も有する場合、検出素子２４に対して光レセプタクル３０を適切に配置することも重要である。そして、このような光モジュール１０では、発光素子２１と光レセプタクル３０との位置合わせと、検出素子２４と光レセプタクル３０との位置合わせを同時に行う必要がある。しかしながら、従来の光レセプタクル３０では、発光素子２１および検出素子３１の両方に合わせて光レセプタクル３０を適切な位置に配置することが難しく、光レセプタクル３０と光電変換装置２０との位置合わせが、光モジュール製造の歩留まり低下の要因となりやすかった。
【０００９】
本発明は、かかる点に鑑みてなされたものである。本発明の目的は、発光素子および検出素子を有する光電変換装置と容易に位置合わせ可能な光レセプタクル、およびこれを用いた光モジュールを提供することにある。また本発明の目的は、光電変換装置と光レセプタクルとを適切に位置合わせ可能な光モジュールの製造方法を提供することにもある。
【課題を解決するための手段】
【００１０】
本発明に係る光レセプタクルは、基板と、前記基板上に配置された光電変換素子と、前記基板上に配置され、前記光電変換素子から出射される光を監視するための検出素子と、を有する光電変換装置、および光伝送体の間に配置され、前記光電変換素子および前記光伝送体の端面を光学的に結合するための光レセプタクルであって、前記光電変換素子と前記光伝送体との間の光路上に配置されるフィルターと、前記フィルターを保持する保持部材と、前記光路上の前記フィルターより前記光伝送体側に配置され、前記フィルターを透過した光を入射させる第１光学面、および前記第１光学面から入射し、レセプタクル本体の内部を通る光を前記光伝送体の端面に向けて出射させる第２光学面、を有するレセプタクル本体と、を有する。当該光レセプタクルでは、前記保持部材および前記レセプタクル本体が別体であり、前記フィルターは、前記光電変換素子から出射された光の一部をモニター光として、前記検出素子側に向けて反射させ、残部を信号光として、前記レセプタクル本体の前記第１光学面側に透過させる。
【００１１】
また、本発明に係る光モジュールは、基板と、前記基板上に配置された１または２以上の光電変換素子と、前記基板上に配置され、前記光電変換素子から出射される光を監視するための検出素子と、を有する光電変換装置、および前述の光レセプタクルを有する。このとき、前記保持部材は、前記フィルターが前記光電変換素子に対向するように前記基板上に配置されており、前記レセプタクル本体は、前記保持部材の上に配置されている。
【００１２】
本発明に係る光モジュールの製造方法は、基板と、前記基板上に配置された光電変換素子と、前記基板上に配置され、前記光電変換素子から出射される光を監視するための検出素子と、を有する光電変換装置の前記基板上に、前記フィルターを保持する前記保持部材を載置する工程と、前記光電変換素子を発光させ、前記フィルターで反射された光が、前記検出素子に到達するように、前記保持部材を位置決めする工程と、前記保持部材上に前記レセプタクル本体を配置する工程と、前記光電変換素子から出射され、前記フィルターを透過し、前記第１光学面から前記レセプタクル本体に入射した光が、前記第２光学面に到達するように、前記レセプタクル本体を位置決めする工程と、を有する。
【発明の効果】
【００１３】
本発明によれば、光電変換装置に対して簡単かつ適切に位置合わせ可能な光レセプタクルや、これを用いた光モジュールを提供することができる。また、本発明によれば、低コストかつ短時間で製造されうる光モジュールを提供することができる。
【図面の簡単な説明】
【００１４】
【図１】図１は、特許文献１に記載の光モジュールの構成を示す図である。
【図２】図２は、実施の形態に係る光モジュールの構成を模式的に示す断面図である。
【図３】図３Ａ〜Ｅは、実施の形態に係る保持部材の構成を示す図である。
【図４】図４Ａ〜Ｅは、実施の形態に係る光レセプタクルのレセプタクル本体の構成を示す図である。
【図５】図５は、実施の形態に係る光レセプタクルのレセプタクル本体の構成を模式的に示す断面図である。
【図６】図６は、実施の形態に係る光モジュールの光路を示す図である。
【図７】図７は、図６の破線部の部分拡大図である。
【図８】図８は、実施の形態に係る光モジュールの製造方法を説明するための図である。
【図９】図９は、実施の形態に係る光モジュールの変形例の構成を模式的に示す断面図である。
【図１０】図１０Ａ〜Ｆは、実施の形態に係る保持部材およびフィルターの変形例の構成を示す図である。
【発明を実施するための形態】
【００１５】
以下、本発明に係る一実施の形態について、図面を参照して詳細に説明するが、本発明は、以下の実施の形態に限定されない。
【００１６】
（光モジュールの構成）
図２は、本発明の一実施の形態に係る光モジュール１００の構成を模式的に示す断面図である。なお、図２では、光レセプタクル１２０や光電変換装置１１０の断面へのハッチングを省略している。
【００１７】
図２に示されるように、光モジュール１００は、基板１１１、基板１１１上に配置された光電変換素子（本実施の形態では、発光素子）１１２、および検出素子１１３を含む基板実装型の光電変換装置１１０と、光レセプタクル１２０と、を含む。
【００１８】
なお、本実施の形態の光モジュール１００は、送信用のモジュールであり、レセプタクル本体１２１にフェルール１５１を介して光伝送体１４０が接続されて使用される。本実施の形態の光モジュール１００に接続可能な光伝送体１４０の種類は、特に限定されず、光ファイバーや光導波路等とすることができる。なお光ファイバーは、シングルモード方式であってもよく、マルチモード方式であってもよい。また、光モジュール１００に接続する光伝送体１４０の数は複数本であってもよいが、本実施の形態では、光ファイバーが１本接続されるものとする。なお、以下の説明では、光伝送体１４０が接続される側の面を光モジュール１００やレセプタクル本体１２１の「正面」として説明する。
【００１９】
本実施の形態の光モジュール１００における光電変換装置１１０では、基板１１１上に１個の光電変換素子１１２と、１個の検出素子１１３とが配置されている。光電変換装置１１０の基板１１１は、発光素子１１２や検出素子１１３を支持可能なものであれば特に制限されず、その種類や大きさは、光モジュール１００の用途に合わせて適宜選択される。基板１１１は、例えば、例えば、ガラスコンポジット基板やガラスエポキシ基板、フレキブシル基板等とすることができる。
【００２０】
また、光モジュール１００が受信用のモジュールや送受信用のモジュールである場合等には、光電変換素子１１２は、受光素子や、発光素子および受光素子の両方であってもよいが、本実施の形態の光モジュール１１０が送信用の光モジュールであるため、光電変換素子は発光素子１１２である。発光素子１１２の種類や発光面の形状は特に制限されず、例えば発光面が円形状の垂直共振器面発光レーザー（ＶＣＳＥＬ）等とすることができる。本実施の形態では、発光素子１１２が、基板１１１の表面に対して垂直な方向にレーザー光を出射するよう配置されている。
【００２１】
検出素子１１３は、基板１１１上に配置されており、発光素子１１２から出射された光の強度や光量を監視することが可能であれば、その種類は特に制限されず、例えばフォトダイオード（ＰＤ）とすることができる。また、本実施の形態では、検出素子１１３の受光面が、基板１１１の表面に対して平行となるように、検出素子１１３が配置されているが、検出素子１１３がモニター光Ｌｍを受光しやすくなるよう、基板１１１の表面に対して受光面を傾けて、検出素子１１３が配置されていてもよい。
【００２２】
さらに、本実施の形態では、検出素子１１３が、発光素子１１２より背面側（光伝送体１４０とは反対側）に配置されているが、光電変換装置１１０における検出素子１１３の配置位置は特に制限されない。検出素子１１３は、例えば発光素子１１２より正面（光伝送体１４０）側に配置されてもよく、発光素子１１２の側方（図２の紙面手前側もしくは紙面奥側）に配置されてもよい。
【００２３】
また、光電変換装置１１０の基板１１１上には、制御部（図示せず）がさらに配置されていてもよい。制御部は配線を介して発光素子１１２や検出素子１１３等と電気的に接続され、検出素子１１３が受光したモニター光Ｌｍの強度や光量に基づいて、発光素子１１２が出射する光の出力等を制御する。
【００２４】
一方、光レセプタクル１２０は、光電変換装置１１０と光伝送体１４０との間に配置され、発光素子１１２と光伝送体１４０の端面１５０とを光学的に結合させるための部材である。本実施の形態の光レセプタクル１２０には、図６に示されるように、発光素子１１２から出射される光Ｌ１をモニター光Ｌｍおよび信号光Ｌｓに分離するためのフィルター１２２と、フィルター１２２を保持するための保持部材１２３と、レセプタクル本体１２１とが含まれる。ここで、レセプタクル本体１２１および保持部材１２３は別体からなる。本明細書において、「レセプタクル本体１２１および保持部材１２３が別体である」とは、光モジュール１００の製造時には、レセプタクル本体１２１と保持部材１２３とが完全に分離した別の部材であることを意味する。ただし、製造された光モジュール１００内では、レセプタクル本体１２１と保持部材１２３とが、嵌合や接着等により、一体化されていてもよいものとする。
【００２５】
ここで、光レセプタクル１２０のフィルター１２２は、均一な厚みの平板状の部材であり、図６に示されるように、発光素子１１２から出射された光Ｌ１の一部を、モニター光Ｌｍとして検出素子１１３側に反射させ、発光素子１１２から出射された光Ｌ１の残部を、信号光Ｌｓとして、レセプタクル本体１２１側に透過させる部材である。発光素子１１２から出射された光Ｌ１を反射もしくは透過させる面の形状は特に制限されず、矩形状であってもよく、円形状や楕円状であってもよい。
【００２６】
本実施の形態の光モジュール１００において、フィルター１２２は、発光素子１１２と後述のレセプタクル本体１２１の第１光学面１３１との間に配置されている。また、フィルター１２２は、その表面が、発光素子１１２の発光面に対して傾きを有するように配置されている。フィルター１２２表面が発光素子１１２の発光面に対して傾きを有することでフィルター１２２によって反射された光（モニター光Ｌｍ）が、検出素子１１３に到達する。なお、本実施の形態では、光モジュール１００の正面（光伝送体１４０側）に向かうにつれて、フィルター１２２表面と発光素子１１２の発光面とが近づくようにフィルター１２２が配置されている。ただし、フィルター１２２の傾斜方向や傾斜角度は、検出素子１１３の位置に応じて適宜設定される。
【００２７】
フィルター１２２は、発光素子１１２が出射する光をモニター光Ｌｍと信号光Ｌｓとに分離可能であれば、その構造は特に制限されず、例えば、透光性基材（図示せず）と、透光性基材上に形成された反射／透過膜（図示せず）とを有する部材とすることができる。透光性基材は、発光素子１１２が出射する波長の光の透過率が高い材料からなる平板状の基材であればよく、ガラスや、ポリエーテルイミド（ＰＥＩ）や環状オレフィン樹脂などからなる基材とすることができる。透光性基材は、後述の保持部材１２３と別部材として形成されたものであってもよく、一体に形成されたものであってもよい。
【００２８】
一方、反射／透過膜は、Ｎｉ、Ｃｒ、またはＡｌ等の単一の金属からなる単層膜や、互いに誘電率が異なる複数の誘電体（例えば、ＴｉＯ２およびＳｉＯ２）を交互に積層した誘電体多層膜とすることができる。このような反射／透過膜は、上述の透光性基材上に、インコーネル蒸着等により形成することができる。インコーネル蒸着等によれば、反射／透過膜を１μｍ以下の極めて薄い膜とすることができる。
【００２９】
フィルター１２２の光の反射率および透過率は、検出素子１１３が必要とするモニター光Ｌｍの量や、光伝送体１４０に到達させる信号光Ｌｓの量に応じて設定され、これらは反射／透過膜の材質や厚みに応じて設定することができる。例えば、反射／透過膜をＮｉ、ＣｒまたはＡｌ等の単一の金属からなる単層膜とする場合、その厚みにもよるが、反射／透過膜の反射率を２０％、透過率を６０％、（吸収率２０％）とすること等ができる。また、反射／透過膜を、互いに誘電率が異なる複数の誘電体（例えば、ＴｉＯ２およびＳｉＯ２）を交互に積層した誘電体多層膜とする場合、その厚みや層数にもよるが、反射／透過膜の反射率を１０％、透過率を９０％とすることができる。
【００３０】
一方、上記フィルター１２２を保持する保持部材１２３は、フィルター１２２を発光素子１１２とレセプタクル本体１２１の第１光学面１３１との間に配置可能であり、かつ発光素子１１２と光伝送体１４０との間の光路を妨げないものであれば、その形状は特に制限されない。
【００３１】
図３Ａ〜Ｅは、本実施の形態の保持部材１２３の構成を示す図である。図３Ａは保持部材１２３の平面図であり、図３Ｂは側面図であり、図３Ｃは底面図であり、図３Ｄは正面図であり、図３Ｅは背面図である。本実施の形態の保持部材１２３には、平板状の支持体１４１と、当該支持体１４１上に形成された角柱状の第１凸部１４２および角柱状の第２凸部１４３とが含まれる。前述のフィルター１２２は、保持部材１２３の第１凸部１４２頂面および第２凸部１４３の頂面で支持されている。そして、第１凸部１４２が第２凸部１４３より高くなるように形成されているため、フィルター１２２の表面が発光素子１１２の発光面に対して傾きを有するように、フィルター１２２が支持されている。なお、本実施の形態では、フィルター１２２の端部が保持部材１２３の第１凸部１４２頂面および第２凸部１４３頂面に接着剤（例えば、熱／紫外線硬化性樹脂）等で固定されているが、フィルター１２２の固定方法は当該方法に制限されない。例えば第１凸部１４２および第２凸部１４３に、フィルター１２２の端部を嵌合するための溝等が形成されている場合、これらの溝にフィルター１２２を嵌め込み、固定してもよい。
【００３２】
また、本実施の形態の保持部材１２３には、基板１１１上に保持部材１２３を配置する際、光電変換装置１１０の発光素子１１２や検出素子１１３と干渉しないよう、これらに対応する位置に貫通孔１４４が形成されている。また、支持体１４１の形状は基板１１１と密着可能であれば特に制限されず、その面積が広いほど、フィルター１２２やレセプタクル本体１２１を安定して支持することが可能となる。
【００３３】
本実施の形態の保持部材１２３の材質は、支持体１４１や第１凸部１４２、第２凸部１４３、貫通孔１４４等を所望の形状に形成可能であれば特に制限されず、公知の樹脂の成形体等とすることができる。
【００３４】
なお、本実施の形態では、保持部材１２３の支持体１４１が、光電変換装置１１０の基板１１１上に固定されているが、その固定方法は特に制限されず、接着剤（例えば、熱／紫外線硬化性樹脂）などを用いた公知の固定方法とすることができる。
【００３５】
一方、レセプタクル本体１２１は、図６に示されるように、発光素子１１２の発光面から出射され、フィルター１２２を透過した信号光Ｌｓを第１光学面１３１から入射させ、レセプタクル本体１２１内部を通過させて、第２光学面１３２から光伝送体１４０の端面１５０に向けて出射させるための部材である。
【００３６】
レセプタクル本体１２１には、第１光学面１３１と、第２光学面１３２と、反射面１３３とが、それぞれ１つずつ含まれる。図４Ａ〜Ｅに、本実施の形態のレセプタクル本体１２１の構成を示す。図４Ａは、レセプタクル本体１２１の平面図であり、図４Ｂは側面図であり、図４Ｃは底面図であり、図４Ｄは正面図であり、図４Ｅは背面図である。また、図５にレセプタクル本体１２１の断面図を示す。ただし、図５では、レセプタクル本体１２１の断面へのハッチングを省略している。
【００３７】
図４Ａ〜Ｅに示されるように、レセプタクル本体１２１は、略直方体形状の部材である。また、レセプタクル本体１２１の底面には、図４Ｃおよび図５に示されるように、略四角錐台状の第１凹部１３５が形成されている。一方、レセプタクル本体１２１の天面には、図４Ａおよび図５に示されるように、略五角柱形状の第２凹部１３６が形成されている。
【００３８】
レセプタクル本体１２１の第１光学面１３１は、発光素子１１２から出射され、フィルター１２２を透過した信号光Ｌｓを屈折させながらレセプタクル本体１２１内に入射させる光学面である。このとき、第１光学面１３１は、フィルター１２２を透過した信号光Ｌｓをコリメート光に変換させる。第１光学面１３１は、凹部１３５の底面に、発光素子１１２の発光面に対向するように形成されている。本実施の形態では、第１光学面１３１の形状は、発光素子１１２に向かって凸状の凸レンズ面である。また、第１光学面１３１の平面視形状は、図４Ｃに示されるように、円形状である。第１光学面１３１の中心軸は、発光素子１１２の発光面に対して垂直であることが好ましい。また、第１光学面１３１の中心軸は、発光素子１１２から出射された出射光Ｌ１の光軸と一致することが好ましい。
【００３９】
レセプタクル本体１２１の反射面１３３は、第１光学面１３１で入射した信号光Ｌｓを基板１１１に沿った方向に、かつ第２光学面１３２側に向けて反射させる。反射面１３３は、第２凹部１３６の内面の一部を構成している。反射面１３３は、レセプタクル本体１２１の底面から天面に向かうにつれて、光伝送体１４０（正面側）に近づくように傾斜している。反射面１３３の傾斜角度は、特に限定されない。本実施の形態では、反射面１３３の傾斜角度は、反射面１３３に入射する光の光軸に対して４５°である。反射面１３３の形状は、特に限定されず、平面であってもよいし、曲面であってもよい。本実施の形態では、反射面１３３の形状は、平面である。反射面１３３には、第１光学面１２１で入射した光Ｌ１が、臨界角より大きな入射角で入射する。
【００４０】
レセプタクル本体１２１の第２光学面１３２は、反射面１３３で屈折された信号光Ｌｓを光伝送体１４０の端面１５０に向けて出射させる光学面である。このとき、第２光学面１３２は、信号光Ｌｓを収束させつつ、光伝送体１４０の端面１５０に向けて出射させる。本実施の形態では、第２光学面１３２の形状は、光伝送体１４０の端面１５０に向かって凸状の凸レンズ面である。第２光学面１３２の平面視形状は、円形状である。第２光学面１３２の中心軸は、光伝送体１４０の端面１５０に対して垂直であることが好ましい。
【００４１】
レセプタクル本体１２１は、発光素子１１２から出射される波長の光に対して透光性を有する材料から形成されていればよく、その種類は特に制限されない。レセプタクル本体１２１の材料の例には、ポリエーテルイミド（ＰＥＩ）や環状オレフィン樹脂などの透明な樹脂等が含まれる。
【００４２】
また、本実施の形態では、レセプタクル本体１２１が、保持部材１２３上に固定されているが、その固定方法は特に制限されず、接着剤（例えば、熱／紫外線硬化性樹脂）などを用いた公知の固定方法とすることができる。
【００４３】
なお、レセプタクル本体１２１および保持部材１２３にはそれぞれ、これらを嵌合させるための嵌合部（図示せず）が形成されていてもよい。ただし、光モジュール１００の製造方法で詳しく説明するように、光モジュール１００の製造時に、保持部材１２３上でレセプタクル本体１２１の位置合わせを行う必要がある。したがって、これらの嵌合部は、レセプタクル本体１２１の位置合わせが可能な程度に、ゆとりを有するものとすることが好ましい。
【００４４】
（光モジュールにおける光路）
次に、光モジュール１００における光路について説明する。図６に本実施の形態の光モジュールの光路図を示し、図７に、図６の破線部の部分拡大図を示す。なお、光の光軸は、いずれも一点鎖線で示す。図７に示されるように、発光素子１１２から出射された出射光Ｌ１（図７において点線で示す）は、フィルター１２２で一部が反射されて、モニター光Ｌｍ（図７において二点鎖線で示す）として検出素子１１３に到達する。一方、発光素子１１２から出射された出射光Ｌ１の残部は、図６に示されるように、フィルター１２２を透過し、信号光Ｌｓ（図６において、破線で示す）として、第１光学面１３３でレセプタクル本体１１１内に入射する。信号光Ｌｓは、レセプタクル本体１２１の第１光学面により、コリメート光に変換され、反射面１３３に向かって進行する。そして、図６に示されるように、反射面１３３に到達した光Ｌｓは第２出射面１３２側に反射され、基板１１１表面に沿ってレセプタクル本体１２１内を通過する。そして、信号光Ｌｓは、レセプタクル本体１２１の第２出射面１３２から出射され、光伝送体１４０の端面１５０に到達する。
【００４５】
（光モジュールの製造方法）
次に、本実施の形態の光モジュールの製造方法を説明する。図８に、本実施の形態に係る光モジュール１００の製造方法を説明するための模式的な断面図を示す。なお、図８Ａ〜Ｃでは、各部材の断面へのハッチングを省略している。
【００４６】
本実施の形態では、まず、図８Ａに示されるように、光電変換装置１１０の基板１１１上に、保持部材１２３およびフィルター１２２を載置する（工程（１））。このとき、保持部材１２３が、光電変換装置１１０の発光素子１１２および検出素子１１３と干渉しないよう、保持部材の貫通孔（図示せず）に発光素子１１２および検出素子１１３をはめ込む。
【００４７】
なお、本実施の形態では、保持部材１２３のみ基板１１１上に配置した後、フィルター１２２を保持部材１２３上に固定しているが、フィルター１２２は、予め保持部材１２３上に固定しておいてもよい。
【００４８】
続いて、図８Ｂに示されるように、発光素子１１２を発光させ、保持部材１２３によって保持されたフィルター１２２で反射された光が、検出素子１１３に到達するよう、保持部材１２３の位置を基板１１１表面に対して平行に任意の方向に移動させ、保持部材１２３の位置を決定する（工程（２））。フィルター１２２で反射された光が、検出素子１１３に十分に到達しているか否かの確認は、例えば検出素子１１３により、光の強度や光量を測定することで行うことができる。そして、フィルター１２２による反射光が検出素子１１３に十分に到達する位置で、保持部材１２３を基板１１１上に固定する。保持部材１２３は、例えば接着剤（例えば、熱／紫外線硬化性樹脂）などで基板１１１上に固定する。
【００４９】
続いて、図８Ｃに示されるように、保持部材１２３上にレセプタクル本体１２１を載置する（工程（３））。そして、図８Ｄに示されるように、発光素子１１２から出射され、フィルター１２２を透過し、レセプタクル本体１２１の第１光学面１３１からレセプタクル本体１２１に入射した光が、レセプタクル本体１２１の第２光学面１３２に到達するように、レセプタクル本体１２１を基板１１１表面に対して平行に任意の方向に移動させ、レセプタクル本体１２１の位置を決定する（工程（４））。
【００５０】
第１光学面１３１から前記レセプタクル本体１２１に入射した光が、第２光学面１３２に到達するか否かの確認は、例えば第２光学面１３２側から、反射面１３３および第１光学面１３１を介して発光素子１１２を観察することにより行うことができる。また、発光素子１１２を発光させて、確認を行ってもよい。これにより、発光素子１１２の発光面の中心位置を適切に検出することができ、レセプタクル本体１２１を適切な位置に配置することができる。
【００５１】
その後、レセプタクル本体１２１を、接着剤（例えば、熱／紫外線硬化性樹脂）などで保持部材１２３上に固定する。
【００５２】
（変形例）
図９は、本発明の実施の形態に係る光モジュール２００の変形例の構成を模式的に示す断面図である。当該光モジュール２００は、保持部材とフィルターとが一体化されている以外は、前述の光モジュール１００と同様である。なお、図９では、光レセプタクル１２０や光電変換装置１１０の断面等へのハッチングを省略し、さらに前述の光モジュール１００と同様の構成については、同様の符号を付している。以下、当該変形例の保持部材およびフィルターについて説明する。
【００５３】
変形例に係る保持部材２２３を図１０に示す。図１０Ａは保持部材２２３の平面図であり、図１０Ｂは側面図であり、図１０Ｃは底面図であり、図１０Ｄは正面図であり、図１０Ｅは背面図である。また、図１０Ｆは、図１０ＡのＡ−Ａ断面図である。図９および図１０に示すように、変形例の保持部材２２３は、レセプタクル本体１２１側に突出し、かつ発光素子１１２の発光面に対して傾きを有する天板を有する凸部２２４を有する。図１０Ｆに示すように、当該保持部材２２３の凸部２２４は、内部が中空とされている。また、図９に示すように、当該凸部２２４は、発光素子１１２とレセプタクル本体１２１の第１光学面１３１との間に配置され、中空内部に、光電変換装置１１０の発光素子１１２および検出素子１１３がはめ込まれる。
【００５４】
ここで、当該変形例の保持部材２２３では、凸部２２４の天板が、発光素子１１２から出射される光Ｌ１をモニター光Ｌｍおよび信号光Ｌｓに分離するためのフィルターとして用いられる。当該変形例のように、フィルターと保持部材とが一体に形成されていると、フィルターを別途固定する必要がない、との利点がある。ここで、凸部２２４の天板は、均一な厚みを有し、その表面には、前述の反射／透過膜（図示せず）が形成されている。また、凸部２２４の天板は、発光素子１１２の発光面に対して傾きを有している。当該天板（フィルター）が発光素子１１２の発光面に対して傾きを有することで、天板（フィルター）によって反射された光（モニター光Ｌｍ）が、検出素子１１３に到達する。
【００５５】
なお、凸部２２４の天板以外の領域の形状は、発光素子１１２と光伝送体１４０との間の光路等を妨げないものであれば特に制限されず、側面の一部に、中空内部と外部とを連通する貫通孔等を有していてもよい。
【００５６】
上述の保持部材２２３は、発光素子１１２が出射する波長の光の透過率が高い材料からなる平板状の基材であればよく、ガラスや、ポリエーテルイミド（ＰＥＩ）や環状オレフィン樹脂などからなる基材とすることができる。
【００５７】
（効果）
前述のように、従来の光レセプタクルを用いた光モジュールでは、発光素子および検出素子を有する光電変換装置と光レセプタクルとを位置合わせする場合、信号光のための位置合わせ、およびモニター光のための位置合わせを同時に行う必要があった。そのため、これらの位置合わせの作業が繁雑であり、光レセプタクルの位置合わせ工程が、歩留まり低下の原因となりやすかった。
【００５８】
これに対し、本実施の形態（変形例も含む）では、前述のように、光レセプタクル１２０のレセプタクル本体１２１と、保持部材１２３とが別体とされている。そのため、モニター光Ｌｍのための位置合わせ、および信号光Ｌｓのための位置合わせを、それぞれ別の工程で行うことができる。そのため、これらの位置合わせを非常に容易に、かつ短時間で行うことができる。そのため、本実施の形態に係る光モジュール１００は、低コストかつ短時間で製造することができる。
【００５９】
（その他）
上記の説明では、光電変換素子として発光素子を１個のみ有する光電変換装置について説明したが、光電変換装置は発光素子を２個以上有していてもよい。また、光電変換装置が送受信用の光モジュールである場合には、基板上にさらに、１個または２個以上の受光素子等が配置されていてもよい。
【００６０】
また、光モジュールは、受信用のモジュールであってもよい。この場合、光伝送体から出射された光が、光レセプタクルの第２光学面で入射し、光レセプタクルの内部を通り、第１光学面から出射する。当該出射光は、フィルターを透過して、光電変換素子に受光される。
【産業上の利用可能性】
【００６１】
本発明に係る光レセプタクルおよび光モジュールは、例えば光伝送体を用いた光通信に有用である。
【符号の説明】
【００６２】
１０  光モジュール
２０  光電変換装置
２１  発光素子
２２  光伝送体
２３  端面
２４  検出素子
３０  光レセプタクル
３１  第１光学面
３２  反射面
３３  光分離部
３４  透過面
３５  第２光学面
３６  第３光学面
３７  凹部
１００、２００  光モジュール
１１０  光電変換装置
１１１  基板
１１２  光電変換素子（発光素子）
１１３  検出素子
１２０  光レセプタクル
１２１  レセプタクル本体
１２２  フィルター
１２３、２２３  保持部材
１３１  第１光学面
１３２  第２光学面
１３３  反射面
１４０  光伝送体
１５０  端面
１５１  フェルール
Ｌ１  発光素子から出射された出射光
Ｌｓ  信号光
Ｌｍ  モニター光
【図１】
2017181562.tif 000003
【図２】
2017181562.tif 000004
【図３】
2017181562.tif 000005
【図４】
2017181562.tif 000006
【図５】
2017181562.tif 000007
【図６】
2017181562.tif 000008
【図７】
2017181562.tif 000009
【図８】
2017181562.tif 000010
【図９】
2017181562.tif 000011
【図１０】
2017181562.tif 000012